(57)【要約】【課題】  開き扉の支持側側端縁と扉枠との間に指が挟まった侭扉が閉ってしまう危険を防止できる指詰め防止機構を提供する。【解決手段】  一端を閉塞し内部に作動油を充填したシリンダと、このシリンダに液密に嵌合したピストンと、内端にこのピストンを装着し、シリンダの他端を閉塞するプラグと液密に、かつ摺動可能に嵌合するピストンロッドと、このピストンロッドをシリンダ外に押出すように、或いは引きこむように付勢するスプリングと、ピストンの所定の行程でこれを緩衝するオリフィスなどの緩衝機構とを有する油圧シリンダ４ののピストンロッドの先端を扉１に、シリンダの基端を扉枠に、夫々揺動可能に支承させる。【選択図】  図３
2009091720.tif 000002
【特許請求の範囲】
【請求項１】
ピストンロッドの収縮時緩衝される型式のスプリングダンパーからスプリングを取り外す態様で一種の油圧ダンパーを構成し、この油圧ダンパーのピストンロッドの先端を扉又は扉枠の一方に、シリンダの基端を扉又は扉枠の他方に、夫々揺動可能に支承させたことを特徴とする指詰め防止機構。
【発明の詳細な説明】
【技術分野】
【０００１】
この発明は、新規な指詰め防止機構に係り、特に、開き扉の支持側側端縁と扉枠との間に指が挟まった侭扉が閉ってしまう危険を防止できる指詰め防止機構に関する。
【背景技術】
【０００２】
指詰めとは、扉１が開いた状態において、その支持側側端縁２と扉枠３との間の横断面三角形の空間（図１参照）に指を差し入れた状態で扉１を閉めてしまうことをいい、特に幼児に指詰め事故が多く、大変に危険である。
【０００３】
なお、大人の場合でも、扉が風に煽られて急に閉るときにも上記指詰め事故は発生し得る。
【特許文献１】特願２００６−１７１８６７
【発明の開示】
【発明が解決しようとする課題】
【０００４】
しかしながら、少なくとも出願人が知る限り、かかる指詰め事故を防止する指詰め防止機構は存在していない。
【０００５】
そこで、この発明は、上記特許文献１に記載された発明をヒントにして、指詰め事故を有効に防止できる指詰め防止機構を提供することを目的としている。
【課題を解決するための手段】
【０００６】
上記の目的を達成するため、請求項１に記載の発明は、ピストンロッドの収縮時緩衝される型式のスプリングダンパーからスプリングを取り外す態様で一種の油圧ダンパーを構成し、この油圧ダンパーのピストンロッドの先端を扉又は扉枠の一方に、シリンダの基端を扉又は扉枠の他方に、夫々揺動可能に支承させたことを特徴とする。
【発明の効果】
【０００７】
上記のように構成されたこの発明による指詰め防止機構は、扉が開くときは油圧ダンパーのピストンロッドが伸長し、扉が閉じるときには収縮する。
【０００８】
そして、扉が開くとき及び扉の閉り始めは油圧ダンパーが作動しないから扉の操作力に変化はないが、扉が閉るときで指詰めが生じやすい開角度になると油圧ダンパーが作動するので、扉が緩衝されて閉扉速度が小さくなり、また、扉からの反力が大きくなる。
【０００９】
そのため、仮に扉枠と扉の支持側側端縁との間の空間に指を差し入れていた場合でも、急いで指を引っ込めることにより、或いは幼児の場合には大人が急いで指を引込ませることにより、指詰め事故を有効に防止できる、という所期の効果を奏する。
【発明を実施するための最良の形態】
【００１０】
ピストンロッドの収縮時緩衝される型式のスプリングダンパーからスプリングを取り外す態様で一種の油圧ダンパーを構成し、この油圧ダンパーのピストンの先端を扉又は扉枠の一方に、シリンダの基端を扉又は扉枠の他方に、夫々揺動可能に支承させる、という簡単な構成で、指詰め事故を有効に防止できる。
【実施例１】
【００１１】
以下、請求項１に記載の発明の実施例を図面を参照して説明する。
図２において符号４は油圧ダンパーを示し、この油圧ダンパー４は、ピストンロッドの収縮時緩衝される型式のスプリングダンパーからスプリングを取り外したものである。
【００１２】
なお、ここでスプリングダンパーとは、一端を閉塞し内部に作動油を充填したシリンダと、このシリンダに液密に嵌合したピストンと、内端にこのピストンを装着し、シリンダの他端を閉塞するプラグと液密に、かつ摺動可能に嵌合するピストンロッドと、このピストンロッドをシリンダ外に押出すように、或いは引きこむように付勢するスプリングと、ピストンの所定の行程でこれを緩衝するオリフィスなどの緩衝機構とを有するものをいい、標準の規格のものは市販されている。
【００１３】
図２に示す油圧ダンパーは、ピストンロッド５、及びこのピストンロッド５の内端に装着されたピストン６は、夫々Ｏ−リング７を介して、プラグ８又はシリンダ９に液密に、かつ摺動可能に嵌合している。
【００１４】
上記ピストン６の内端面に接合するようにして、例えば薄いプラスチック板等の可撓性のオリフィス板１１が、スペーサリング１２を介して、装着されている。
【００１５】
一方、ピストン６の所定の箇所には、これを軸線方向に貫通するようにして、連通孔１３が形成されている。
【００１６】
そして、上記オリフィス板１１の上記連通孔１３と整合する部分には、小径のオリフィス孔１４が開口している。
【００１７】
他方、シリンダ９の内周面の少なくとも１箇所には、シリンダ９の基端部付近を除いて、かつ内周面の母線に沿って、逃げ溝１５が形成されている。
【００１８】
なお、この逃げ溝１５の横断面形状は、作動油が粘性抵抗に起因する流路抵抗無く流れることができるように充分に大きくすることが望ましい。
【００１９】
上記した構成により、この油圧ダンパーは、そのピストンの内端面（図２で右端面）が逃げ溝１５の内端より左側にあるときには、ピストンが左側に移動するときでも、右側に移動するときでも、作動油は逃げ溝１５を通って反対側に流れるので、ピストンは緩衝されない。
【００２０】
一方、図２においてピストン６の内端面が逃げ溝１５の内端より右側に来たときには、作動油は逃げ溝１５を通ることができないので、前記オリフィス孔１４を通らざるを得ず、このときピストンが緩衝される。
【００２１】
一方、ピストン６がシリンダ内に一杯に押込まれてから図２で左方に移動するときには、作動油はピストン６に関し左方から右方に移動しようとし、このときにはオリフィス板１１外周部が右側に捲れ上がるように弾性変形し、この部分から作動油が右方に移動するので、ピストンが緩衝されることはない。
【００２２】
上記のように構成された油圧ダンパー４は、図３に示すように、ピストンロッド５の先端をブラケットを介して扉１に、シリンダ９の基端をブラケットを介して扉枠３に、夫々揺動可能に支承させる。
どる
この状態で図４に示すように扉１を少し開けると、蝶番の回転軸Ａ（図５参照）及びブラケットＢ及びＣの位置関係に起因して、ピストンロッド５は少しシリンダ９内に押しこまれる。
【００２３】
更に、図５に示すように上記Ａ、Ｂ及びＣが一直線上に並ぶと、以降ピストンロッド５はシリンダ９から伸長するようになり、このときにはピストン６によって加圧された作動油は前記逃げ溝１５を通るので、扉を開けるときの操作力は重くならない。
【００２４】
そして、図６に示すように更に扉の開角度が大きくなると、ピストンロッド５の伸長度が最も大きくなる。
【００２５】
閉扉するときには、図６から図３に示すように扉の開角度が小さくなるが、前記ピストンの内端面と逃げ溝１４の内端とが一致するタイミングは、蝶番Ａ及びブラケットＢ、Ｃの位置関係に応じて適切に、例えば図５と図４のあいだの角度位置に設定する。
【実施例２】
【００２６】
なお、本発明を実施するにあたっては図示の実施例に限定されることなく、種々に変形して実施することができる。
【００２７】
例えば、油圧ダンパーとしてドアクローザのシリンダを利用することができ、この場合、シリンダのピストン室に平行なバイパス路の開口をピストンで閉塞することにより速度変換を行う公知の機構を逃げ溝とピストンの代りに用いることができる。
【００２８】
また、可撓性のオリフィス板による速度変換機構の代りに、通常のドアクローザにおけるダッシュポット式の速度調整機構を用いることもできる。
【実施例３】
【００２９】
更にまた、ピストンロッドの先端の位置、シリンダの基点の位置を蝶番の位置に応じて種々に変化することにより、ピストンロッドの伸長行程を種々に変化させることができ、閉扉時緩衝が始るタイミングを種々に変化させることができる。
【図面の簡単な説明】
【００３０】
【図１】指詰めを説明するための線図。
【図２】油圧ダンパーの線図的拡大断面図。
【図３】図１と同様の治具の線図的平面図で、閉扉状態を示す。
【図４】図３と同様の線図的平面図で、扉が少し開いた状態を示す。
【図５】図３と同様の線図的平面図で、蝶番、ピストンロッドの先端及びシリンダの基端が一直線上に並んだ状態を示す。
【図６】図３と同様の線図的平面図で、扉が更に開いた状態を示す。
【符号の説明】
【００３１】
１  扉
２  支持側側端縁
３  扉枠
４  油圧ダンパー
５  ピストンロッド
６  ピストン
７  Ｏ−リング
８  プラグ
９  シリンダ
１１  オリフィス板
１２  スペーサリング
１３  連通孔
１４  オリフィス孔
１５  逃げ溝
【図１】
2009091720.tif 000003
【図２】
2009091720.tif 000004
【図３】
2009091720.tif 000005
【図４】
2009091720.tif 000006
【図５】
2009091720.tif 000007
【図６】
2009091720.tif 000008